(57)【要約】  モバイル端末機が開示される。本発明のモバイル端末機は、相互結合される前面ケースと背面ケースとを含む端末機ケースと、端末機ケースの外部に露出されるように設けられて、引っ張り動作によってユーザ入力を行うトリガーユニットと、を含み、トリガーユニットは、端末機ケースの外部に露出されるトリガースイッチと、トリガースイッチを覆うように、端末機ケースの内部に密着されるトリガーラバーと、トリガーラバーを圧着支持し、端末機ケースの内部に結合されるトリガーブラケットと、を含むことを特徴とする。本発明によれば、防水機能に優れ、製作及び組み立てが容易な構造を備えたモバイル端末機が提供される。
2013537014.tif 000002
【特許請求の範囲】
【請求項１】
相互結合される前面ケースと背面ケースとを含む端末機ケースと、
前記端末機ケースの外部に露出されるように設けられて、引っ張り動作によってユーザ入力を行うトリガーユニットと、を含み、
前記トリガーユニットは、
前記端末機ケースの外部に露出されるトリガースイッチと、
前記トリガースイッチを覆うように、前記端末機ケースの内部に密着されるトリガーラバーと、
前記トリガーラバーを圧着支持し、前記端末機ケースの内部に結合されるトリガーブラケットと、
を含むことを特徴とするモバイル端末機。
【請求項２】
前記トリガースイッチは、前記背面ケースのトリガー貫通口を通じて外部に露出されることを特徴とする請求項１に記載のモバイル端末機。
【請求項３】
前記トリガースイッチは、
前記端末機ケースを通じて一部が外部に露出されて、ユーザによって引っ張り動作を行う引張部と、
前記引張部と連結され、前記端末機ケースに回動自在に結合される回動部と、
前記引張部から突設され、前記引張部の引っ張り動作時に、トリガーＰＣＢ（Ｐｒｉｎｔｅｄ  Ｃｉｒｃｕｉｔ  Ｂｏａｒｄ）を加圧する加圧部と、
を含むことを特徴とする請求項１に記載のモバイル端末機。
【請求項４】
前記トリガーラバーは、弾性材からなることを特徴とする請求項１に記載のモバイル端末機。
【請求項５】
前記トリガーラバーは、
前記トリガーブラケットの内側面に収容されるラバー本体部と、
前記トリガースイッチと結合され、前記トリガースイッチの引っ張り動作によってトリガーＰＣＢに接触される接触部と、
前記接触部が加圧される時、前記接触部が、前記接触部の加圧方向の逆方向に付勢されるように、前記ラバー本体部と前記接触部とを連結する傾斜部と、
を含むことを特徴とする請求項４に記載のモバイル端末機。
【請求項６】
前記ラバー本体部は、前記背面ケースの内側面に形成されたトリガー溝部に結合されるトリガー突起線が、前記ラバー本体部の縁部に沿って閉ループ状に形成されることを特徴とする請求項５に記載のモバイル端末機。
【請求項７】
前記トリガー突起線は、端部が多角形または円形の形状に設けられるが、前記トリガー突起線の端部の一部は、前記トリガー溝部の幅よりも広く設けられることを特徴とする請求項６に記載のモバイル端末機。
【請求項８】
前記接触部の端部には、炭素接点が設けられることを特徴とする請求項５に記載のモバイル端末機。
【請求項９】
前記傾斜部は、前記ラバー本体部と前記接触部とを連結するに当って、ドーム状に設けられることを特徴とする請求項５に記載のモバイル端末機。
【請求項１０】
前記トリガーブラケットは、
前記トリガーラバーを圧着支持するブラケット本体部と、
前記ブラケット本体部の縁部に設けられて、前記端末機ケースの内部に結合される多数の螺合部と、
前記トリガーラバーがトリガーＰＣＢに接触されるように、前記ブラケット本体部を貫設される接触通孔部と、
を含むことを特徴とする請求項１に記載のモバイル端末機。
【請求項１１】
前記背面ケースと結合し、モバイル端末機に電源を供給するバッテリーパックと、
前記バッテリーパックと前記背面ケースとの間に介在されて、前記バッテリーパックと前記背面ケースとの結合部位を気密に保持させるクッションと、
をさらに含むことを特徴とする請求項１に記載のモバイル端末機。
【請求項１２】
前記バッテリーパックは、
前記背面ケースと着脱自在に結合される着脱結合部が設けられる上部ケースと、
前記上部ケースとの間に部品収容空間を置いて結合され、下面に前記クッション部を加圧するシーリングライン（ｓｅａｌｉｎｇ  ｌｉｎｅ）が形成される下部ケースと、
を含むことを特徴とする請求項１１に記載のモバイル端末機。
【請求項１３】
前記下部ケースは、前記上部ケースが結合される部位に縁部に沿って閉ループ状のバッテリー溝部が形成され、前記バッテリー溝部は、‘コ’字状の断面形状を有することを特徴とする請求項１２に記載のモバイル端末機。
【請求項１４】
前記上部ケースは、前記バッテリー溝部と対応してバッテリー突出部が設けられ、前記バッテリー突出部の端部には、融着山が形成されることを特徴とする請求項１３に記載のモバイル端末機。
【請求項１５】
前記上部ケースと前記下部ケースは、締まりばめで結合され、前記融着山は、超音波融着方法によって、前記上部ケースと前記下部ケースとを結合させることを特徴とする請求項１４に記載のモバイル端末機。
【請求項１６】
前記クッションは、ポリオレフィン（Ｐｏｌｙｏｌｅｆｉｎ）フォーム（Ｆｏａｍ）からなることを特徴とする請求項１１に記載のモバイル端末機。
【請求項１７】
多数のキーボタンと結合され、前記前面ケースのキーパッド収容部に収容される柔軟材のキーパッドシリコンと、
前記キーパッドシリコンを挟んで、前記前面ケースに結合され、前記キーパッドシリコンを圧着し、支持するキーパッドブラケットと、
をさらに含むことを特徴とする請求項１に記載のモバイル端末機。
【請求項１８】
前記キーパッド収容部は、縁部に沿って連続する閉ループ状のキーパッド溝部が形成され、
前記キーパッドシリコンは、前記キーパッド溝部に対応して縁部に沿って閉ループ状にキーパッド突出部が設けられることを特徴とする請求項１７に記載のモバイル端末機。
【請求項１９】
前記キーパッド突出部は、端部が多角形または円形の形状に設けられるが、前記キーパッド突出部の端部の一部は、前記キーパッド溝部の幅よりも広く設けられることを特徴とする請求項１８に記載のモバイル端末機。
【請求項２０】
前記キーパッドシリコンは、前記多数のキーボタンが結合される多数のボタン結合部が備えられ、表面に割れた隙間がないように一体に成形されることを特徴とする請求項１７に記載のモバイル端末機。
【請求項２１】
前記前面ケースと前記背面ケースとの間に介在される軟性材のシーリングラバー（ｓｅａｌｉｎｇ  ｒｕｂｂｅｒ）をさらに含み、
前記前面ケースまたは前記背面ケースのうちの何れか一側には、前記シーリングラバーが結合されるように縁部に沿って閉ループ状のケース溝部が設けられ、
前記前面ケースまたは前記背面ケースのうちの他側には、前記シーリングラバーを加圧するケース突出部が設けられることを特徴とする請求項１に記載のモバイル端末機。
【請求項２２】
前記シーリングラバーは、前記ケース溝部と結合される方向の端部に、前記ケース溝部と対応して閉ループ状の突出山が形成されることを特徴とする請求項２１に記載のモバイル端末機。
【請求項２３】
前記前面ケースの画像表示部をカバーし、タッチ入力が可能なタッチウィンドウと、
前記画像表示部の縁部に沿って付着され、前記タッチウィンドウを前記前面ケースに結合させる両面テープと、
をさらに含むことを特徴とする請求項１に記載のモバイル端末機。
【請求項２４】
前記前面ケースには、前記画像表示部の縁部の一部に、前記タッチウィンドウとメインＰＣＢとを連結する軟性回路基板（ＦＰＣＢ、Ｆｌｅｘｉｂｌｅ  Ｐｒｉｎｔｅｄ  Ｃｉｒｃｕｉｔ  Ｂｏａｒｄ）が通過する通孔が形成され、
前記通孔には、シーリング部材が設けられることを特徴とする請求項２３に記載のモバイル端末機。
【請求項２５】
前記背面ケースには、前記前面ケースと螺合される多数のネジ挿入孔が設けられ、
軟性材からなり、前記ネジ挿入孔に挿入されて、前記ネジ挿入孔を密閉させるスクリューキャップをさらに含むことを特徴とする請求項１に記載のモバイル端末機。
【請求項２６】
前記スクリューキャップは、
前記ネジ挿入孔よりも小径の断面を有する円柱状に設けられて、前記ネジ挿入孔に挿入されるキャップ本体部と、
前記キャップ本体部の挿入方向の反対側の端部に設けられて、前記ネジ挿入孔に締まりばめされるキャップヘッダ部と、
前記キャップ本体部の円周方向に突出してＯリング（Ｏ−ｒｉｎｇ）状に設けられ、前記ネジ挿入孔に締まりばめされる少なくとも１つのキャップＯリング部と、
を含むことを特徴とする請求項２５に記載のモバイル端末機。
【発明の詳細な説明】
【技術分野】
【０００１】
本発明は、モバイル端末機に係り、より詳細には、簡単かつ単純な構造を有するために、製作及び組み立てが容易であり、防水能に優れるモバイル端末機に関する。
【背景技術】
【０００２】
モバイル端末機（Ｍｏｂｉｌｅ  Ｔｅｒｍｉｎａｌ）は、場所に関係なく、移動しながら自在に使える端末機であって、携帯電話のような移動通信端末機、そして、個人携帯端末機と呼ばれるＰＤＡ（Ｐｅｒｓｏｎａｌ  Ｄｉｇｉｔａｌ  Ａｓｓｉｓｔａｎｔ）などが代表的である。したがって、ここで使われる‘モバイル端末機’という用語は、これらをいずれも含む用語であるが、以下、説明の便宜上、ＰＤＡに限定して説明する。
【０００３】
ＰＤＡは、ポケット用コンピュータとも呼ばれるが、個人用や業務用として計算や情報保存及び検索機能を備えた手の平サイズの小型装置を総称する用語であって、度々スケジュールカレンダー及び住所録の情報などの保持に多く使われる。
【０００４】
特に、現在、物流産業を中心に産業用個人携帯端末機（ＰＤＡ）が多く使われており、その市場が次第に拡大しつつある実情である。産業用ＰＤＡは、一般ＰＤＡにはないバーコードスキャナー、カード決済機など多様な事務用機能を備えたＰＤＡであって、産業用ＰＤＡを使えば、配送や資料管理、そして、関連業務などを効率的に進行させうる長所がある。例えば、保険会社においては、顧客情報管理、顧客検索、日程管理、相談日誌管理、記念日検索、資金計算書の処理などの各種の保険関連業務を保険設計士が産業用ＰＤＡを用いて現場で直接処理し、次いで、病院においては、患者の診療記録と病歴、処方はもとより、Ｘ線などの映像イメージとグラフィック資料までも時間と場所との制限なしに、医療陣が携帯した産業用ＰＤＡに入力するか、検索し、また、警察の業務においては、交通、防犯警察の外勤取締業務を産業用ＰＤＡを通じて実施して、現在取り締まり後、２〜３日が経ると納めることができる交通法規違反の反則金を直ちに金融機関に納めることができるようにして、交通、防犯警察の外勤取締業務時間を画期的に短縮させうる。
【０００５】
産業用ＰＤＡは、前述した多様な産業分野で使われていることでも分かるように、一般ＰＤＡと異なって、一般的な環境ではない産業用環境で耐えることができる一定レベル以上の要求事項を備えなければならない。すなわち、産業用ＰＤＡは、一般ＰＤＡと異なって、零下１０℃以下の冷凍倉庫で使う時もあり、また野外でも長期間使われうるということは当然予測され、集配人のようなユーザが業務上むやみに扱うこともできるために、一定レベル以上の耐衝撃性、防水、耐熱／冷機能などを備えると製品として競争力を有するようになる。このように、産業用ＰＤＡは、一般ＰＤＡよりさらに堅固かつ堅く作られなければならないことはもとより、特に、雪や雨に耐えるように防水機能を有していなければならないことは、製品が有さなければならない必須的な事項である。
【０００６】
このような産業用ＰＤＡは、製作及び組み立て過程で内部に異物や水分が侵透できる多様な構成品と構造とを有している。例えば、ユーザ入力装置に該当するキーパッド、タッチウィンドウ、トリガーなどの構造は、防水機能を備えにくく、備えるとしても、構造が複雑であって、製作及び組み立てが難しい。また、産業用ＰＤＡが防水機能を備えるために、上、下ケースの結合部やバッテリーパックにも、防水処理が必要である。したがって、特に、産業用ＰＤＡの場合に、防水機能に優れ、製作及び組み立てが容易な構造を備えた製品の開発が必要である。
【発明の概要】
【発明が解決しようとする課題】
【０００７】
本発明の目的は、防水機能に優れ、製作及び組み立てが容易な構造を備えたモバイル端末機を提供することである。
【課題を解決するための手段】
【０００８】
前記の目的は、本発明によって、相互結合される前面ケースと背面ケースとを含む端末機ケースと、前記端末機ケースの外部に露出されるように設けられて、引っ張り動作によってユーザ入力を行うトリガーユニットと、を含み、前記トリガーユニットは、前記端末機ケースの外部に露出されるトリガースイッチと、前記トリガースイッチを覆うように、前記端末機ケースの内部に密着されるトリガーラバーと、前記トリガーラバーを圧着支持し、前記端末機ケースの内部に結合されるトリガーブラケットと、を含むことを特徴とするモバイル端末機によって達成される。
【０００９】
ここで、前記トリガースイッチは、前記背面ケースのトリガー貫通口を通じて外部に露出されうる。
【００１０】
前記トリガースイッチは、前記端末機ケースを通じて一部が外部に露出されて、ユーザによって引っ張り動作を行う引張部と、前記引張部と連結され、前記端末機ケースに回動自在に結合される回動部と、前記引張部から突設され、前記引張部の引っ張り動作時に、トリガーＰＣＢ（Ｐｒｉｎｔｅｄ  Ｃｉｒｃｕｉｔ  Ｂｏａｒｄ）を加圧する加圧部と、を含みうる。
【００１１】
前記トリガーラバーは、弾性材からなる。
【００１２】
前記トリガーラバーは、前記トリガーブラケットの内側面に収容されるラバー本体部と、前記トリガースイッチと結合され、前記トリガースイッチの引っ張り動作によってトリガーＰＣＢに接触される接触部と、前記接触部が加圧される時、前記接触部が、前記接触部の加圧方向の逆方向に付勢されるように、前記ラバー本体部と前記接触部とを連結する傾斜部と、を含みうる。
【００１３】
前記ラバー本体部は、前記背面ケースの内側面に形成されたトリガー溝部に結合されるトリガー突起線が、前記ラバー本体部の縁部に沿って閉ループ状に形成されうる。
【００１４】
前記トリガー突起線は、端部が多角形または円形の形状に設けられるが、前記トリガー突起線の端部の一部は、前記トリガー溝部の幅よりも広く設けられうる。
【００１５】
前記接触部の端部には、炭素接点が設けられうる。
【００１６】
前記傾斜部は、前記ラバー本体部と前記接触部とを連結するに当って、ドーム状に設けられうる。
【００１７】
前記トリガーブラケットは、前記トリガーラバーを圧着支持するブラケット本体部と、前記ブラケット本体部の縁部に設けられて、前記端末機ケースの内部に結合される多数の螺合部と、前記トリガーラバーがトリガーＰＣＢに接触されるように、前記ブラケット本体部を貫設される接触通孔部と、を含みうる。
【００１８】
前記モバイル端末機は、前記背面ケースと結合し、モバイル端末機に電源を供給するバッテリーパックと、前記バッテリーパックと前記背面ケースとの間に介在されて、前記バッテリーパックと前記背面ケースとの結合部位を気密に保持させるクッションと、をさらに含みうる。
【００１９】
前記バッテリーパックは、前記背面ケースと着脱自在に結合される着脱結合部が設けられる上部ケースと、前記上部ケースとの間に部品収容空間を置いて結合され、下面に前記クッション部を加圧するシーリングライン（ｓｅａｌｉｎｇ  ｌｉｎｅ）が形成される下部ケースと、を含みうる。
【００２０】
前記下部ケースは、前記上部ケースが結合される部位に縁部に沿って閉ループ状のバッテリー溝部が形成され、前記バッテリー溝部は、‘コ’字状の断面形状を有しうる。
【００２１】
前記上部ケースは、前記バッテリー溝部と対応してバッテリー突出部が設けられ、前記バッテリー突出部の端部には、融着山が形成されうる。
【００２２】
前記上部ケースと前記下部ケースは、締まりばめで結合され、前記融着山は、超音波融着方法によって、前記上部ケースと前記下部ケースとを結合させることができる。
【００２３】
前記クッションは、ポリオレフィン（Ｐｏｌｙｏｌｅｆｉｎ）フォーム（Ｆｏａｍ）からなる。
【００２４】
前記モバイル端末機は、多数のキーボタンと結合され、前記前面ケースのキーパッド収容部に収容される柔軟材のキーパッドシリコンと、前記キーパッドシリコンを挟んで、前記前面ケースに結合され、前記キーパッドシリコンを圧着し、支持するキーパッドブラケットと、をさらに含みうる。
【００２５】
前記キーパッド収容部は、縁部に沿って連続する閉ループ状のキーパッド溝部が形成され、前記キーパッドシリコンは、前記キーパッド溝部に対応して縁部に沿って閉ループ状にキーパッド突出部が設けられうる。
【００２６】
前記キーパッド突出部は、端部が多角形または円形の形状に設けられるが、前記キーパッド突出部の端部の一部は、前記キーパッド溝部の幅よりも広く設けられうる。
【００２７】
前記キーパッドシリコンは、前記多数のキーボタンが結合される多数のボタン結合部が備えられ、表面に割れた隙間がないように一体に成形されうる。
【００２８】
前記モバイル端末機は、前記前面ケースと前記背面ケースとの間に介在される軟性材のシーリングラバー（ｓｅａｌｉｎｇ  ｒｕｂｂｅｒ）をさらに含み、前記前面ケースまたは前記背面ケースのうちの何れか一側には、前記シーリングラバーが結合されるように縁部に沿って閉ループ状のケース溝部が設けられ、前記前面ケースまたは前記背面ケースのうちの他側には、前記シーリングラバーを加圧するケース突出部が設けられうる。
【００２９】
前記シーリングラバーは、前記ケース溝部と結合される方向の端部に、前記ケース溝部と対応して閉ループ状の突出山が形成されうる。
【００３０】
前記モバイル端末機は、前記前面ケースの画像表示部をカバーし、タッチ入力が可能なタッチウィンドウと、前記画像表示部の縁部に沿って付着され、前記タッチウィンドウを前記前面ケースに結合させる両面テープと、をさらに含みうる。
【００３１】
前記前面ケースには、前記画像表示部の縁部の一部に、前記タッチウィンドウとメインＰＣＢとを連結する軟性回路基板（ＦＰＣＢ、Ｆｌｅｘｉｂｌｅ  Ｐｒｉｎｔｅｄ  Ｃｉｒｃｕｉｔ  Ｂｏａｒｄ）が通過する通孔が形成され、前記通孔には、シーリング部材が設けられうる。
【００３２】
前記モバイル端末機は、前記背面ケースには、前記前面ケースと螺合される多数のネジ挿入孔が設けられ、軟性材からなり、前記ネジ挿入孔に挿入されて、前記ネジ挿入孔を密閉させるスクリューキャップをさらに含みうる。
【００３３】
前記スクリューキャップは、前記ネジ挿入孔よりも小径の断面を有する円柱状に設けられて、前記ネジ挿入孔に挿入されるキャップ本体部と、前記キャップ本体部の挿入方向の反対側の端部に設けられて、前記ネジ挿入孔に締まりばめされるキャップヘッダ部と、前記キャップ本体部の円周方向に突出してＯリング（Ｏ−ｒｉｎｇ）状に設けられ、前記ネジ挿入孔に締まりばめされる少なくとも１つのキャップＯリング部と、を含みうる。
【発明の効果】
【００３４】
本発明によれば、防水機能に優れ、製作及び組み立てが容易な構造を備えたモバイル端末機が提供される。
【図面の簡単な説明】
【００３５】
【図１】本発明の一実施形態によるモバイル端末機の斜視図である。
【図２】図１の背面斜視図である。
【図３】トリガーユニットの斜視図である。
【図４】図３のトリガーユニットの分解斜視図である。
【図５】図３のトリガーユニットの断面斜視図である。
【図６】図５のＡ部分の拡大断面図である。
【図７】バッテリーパックの斜視図である。
【図８】図７のバッテリーパックの分解斜視図である。
【図９】図７のバッテリーパックの断面斜視図である。
【図１０】図９の正面図である。
【図１１】バッテリーパック下部ケースの斜視図である。
【図１２】図１１のペトリパック下部ケースの逆方向斜視図である。
【図１３】図１０のＢ部分の拡大断面図である。
【図１４】図１０のＣ部分の拡大断面図である。
【図１５】従来技術によるバッテリーパック構造の断面図である。
【図１６】キーパッド構造の分解斜視図である。
【図１７】図１６のキーパッド構造の断面斜視図である。
【図１８】図１７のＤ部分の拡大断面図である。
【図１９】端末機ケース結合構造の分解斜視図である。
【図２０】図１９の端末機ケース結合構造の拡大断面図である。
【図２１】タッチウィンドウ構造の分解斜視図である。
【図２２】図２１のタッチウィンドウのＦＰＣＢ構造の斜視図である。
【図２３】スクリューキャップの斜視図である。
【図２４】スクリューキャップが結合された構造を示す断面図である。
【発明を実施するための形態】
【００３６】
本発明と本発明の動作上の利点及び本発明の実施によって達成される目的を十分に理解するためには、本発明の望ましい実施形態を例示する添付図面及び添付図面に記載の内容を参照しなければならない。
【００３７】
以下、添付図面を参照して、本発明の望ましい実施形態を説明することによって、本発明を詳しく説明する。各図面に付された同じ参照符号は、同じ部材を表わす。
【００３８】
図１は、本発明の一実施形態によるモバイル端末機の斜視図であり、図２は、図１の背面斜視図であり、図３は、トリガーユニットの斜視図であり、図４は、図３のトリガーユニットの分解斜視図であり、図５は、図３のトリガーユニットの断面斜視図であり、図６は、図５のＡ部分の拡大断面図であり、図７は、バッテリーパックの斜視図であり、図８は、図７のバッテリーパックの分解斜視図であり、図９は、図７のバッテリーパックの断面斜視図であり、図１０は、図９の正面図であり、図１１は、バッテリーパック下部ケースの斜視図であり、図１２は、図１１のペトリパック下部ケースの逆方向斜視図であり、図１３は、図１０のＢ部分の拡大断面図であり、図１４は、図１０のＣ部分の拡大断面図であり、図１５は、従来技術によるバッテリーパック構造の断面図であり、図１６は、キーパッド構造の分解斜視図であり、図１７は、図１６のキーパッド構造の断面斜視図であり、図１８は、図１７のＤ部分の拡大断面図であり、図１９は、端末機ケース結合構造の分解斜視図であり、図２０は、図１９の端末機ケース結合構造の拡大断面図であり、図２１は、タッチウィンドウ構造の分解斜視図であり、図２２は、図２１のタッチウィンドウのＦＰＣＢ構造の斜視図であり、図２３は、スクリューキャップの斜視図であり、図２４は、スクリューキャップが結合された構造を示す断面図である。
【００３９】
これら図面に示したように、本発明の一実施形態によるモバイル端末機は、相互結合される前面ケース１１０と背面ケース１２０とを含む端末機ケース１００と、端末機ケース１００の外部に露出されるように設けられて、引っ張り動作によってユーザ入力を行うトリガーユニット２００と、背面ケース１２０と結合し、モバイル端末機に電源を供給するバッテリーパック３００と、バッテリーパック３００と背面ケース１２０との間に介在されて、バッテリーパック３００と背面ケース１２０との結合部位を気密に保持させるクッション４００と、多数のキーボタン５１０と結合され、前面ケース１１０のキーパッド収容部１１１に収容される柔軟材のキーパッドシリコン５００と、キーパッドシリコン５００を挟んで、前面ケース１１０に結合され、キーパッドシリコン５００を圧着し、支持するキーパッドブラケット６００と、前面ケース１１０と背面ケース１２０との間に介在される軟性材のシーリングラバー７００と、前面ケース１１０の画像表示部１１２をカバーし、タッチ入力が可能なタッチウィンドウ８００と、画像表示部１１２の縁部に沿って付着され、タッチウィンドウ８００を前面ケース１１０に結合させる両面テープ８５０と、軟性材からなり、ネジ挿入孔１２３に挿入されてネジ挿入孔１２３を密閉させるスクリューキャップ９００とを含む。
【００４０】
図２ないし図６を参照して説明すれば、トリガーユニット２００は、背面ケース１２０のトリガー貫通口１２１を通じて外部に露出されるトリガースイッチ２１０と、トリガースイッチ２１０を覆うように、背面ケース１２０の内部に密着されるトリガーラバー２２０と、トリガーラバー２２０を圧着支持し、背面ケース１２０の内部に結合されるトリガーブラケット２３０とを含む。
【００４１】
トリガーユニット２００は、ユーザ便利性を考慮したユーザ入力部であり、トリガースイッチ２１０の引っ張り動作によってユーザ入力が行われる。本実施形態では、ユーザがモバイル端末機を取った状態で引っ張り動作を容易にできるように背面ケース１２０の中央部にトリガー貫通口１２１を形成して、トリガースイッチ２１０を外部に露出させる。
【００４２】
図４及び図５を参照して説明すれば、トリガースイッチ２１０は、背面ケース１２０のトリガー貫通口１２１を通じて一部が外部に露出されて、ユーザによって引っ張り動作を行う引張部２１１と、引張部２１１と連結され、背面ケース１２０に回動自在に結合される回動部２１２と、引張部２１１から突設され、引張部２１１の引っ張り動作時に、トリガーＰＣＢ（図示せず）を加圧する加圧部２１３とを含む。
【００４３】
引張部２１１は、広いトリガー状に設けられ、ユーザが直接接触できるようにトリガー貫通口１２１を通じて外部に露出される。回動部２１２は、引張部２１１の側面に連結され、端部が長い円筒状に設けられて、背面ケース１２０の内側面に回動自在に結合される。加圧部２１３は、引張部２１１の背面中央部に突設され、トリガーラバー２２０と結合される。
【００４４】
このような構成を有するトリガースイッチ２１０は、ユーザが引張部２１１を引っ張り動作を行えば、背面ケース１２０に相対回動自在に結合された回動部２１２によってトリガースイッチ２１０が回動し、引張部２１１の背面中央部に形成される加圧部２１３が加圧動作する。加圧部２１３が加圧されれば、加圧部２１３に結合されたトリガーラバー２２０も共に加圧動作する。
【００４５】
一方、図４ないし図６を参照して説明すれば、トリガーラバー２２０は、トリガーブラケット２３０の内側面に収容されるラバー本体部２２１と、トリガースイッチと結合され、トリガースイッチ２１０の引っ張り動作によってトリガーＰＣＢ（図示せず）に接触される接触部２２２と、接触部２２２が加圧される時、接触部２２２が接触部２２２の加圧方向の逆方向に付勢されるように、ラバー本体部２２１と接触部２２２とを連結する傾斜部２２３とを含む。
【００４６】
トリガーラバー２２０は、トリガースイッチ２１０が背面ケース１２０と結合される部位にトリガースイッチ２１０をカバーし、背面ケース１２０と結合される部分で弾性材からなり、背面ケース１２０と密着結合して、トリガーユニット２００の防水能を向上させる。
【００４７】
まず、ラバー本体部２２１は、ラバー本体部２２１の縁部に沿って閉ループ状のトリガー突起線２２１ａが形成される。トリガー突起線２２１ａは、背面ケース１２０のトリガー貫通口１２１の縁部に形成されたトリガー溝部１２２に結合される。このように、ラバー本体部２２１は、トリガースイッチ２１０を覆い、背面ケース１２０の内側面に結合されて、トリガーユニット２００の防水能を向上させ、トリガースイッチ２１０を支持する。トリガー突起線２２１ａは、端部が多角形または円形の形状に設けられるが、トリガー突起線２２１ａの端部の一部は、トリガー溝部１２２の幅よりも広く設けられるが、これにより、トリガー突起線２２１ａがトリガー溝部１２２に締まりばめされ、トリガー溝部１２２に密着結合されてトリガーユニット２００を外部から気密に保持させる。図６に、このような構成が詳しく示されている。
【００４８】
接触部２２２は、トリガースイッチ２１０の加圧部２１３と結合され、接触部２２２の端部には、炭素接点２２２ａが設けられる。トリガースイッチ２１０が引っ張り動作を行えば、加圧部２１３が加圧動作するので、加圧部２１３と結合される接触部２２２も共に加圧動作する。これにより、接触部２２２が、トリガーＰＣＢ（図示せず）に接触する。トリガーＰＣＢ（図示せず）は、メインＰＣＢ１０と電気的に連結され、接触部２２２が接触される部分にスイッチ回路が印刷されて、接触部２２２の炭素接点２２２ａがスイッチ回路に接触されれば、電流が流れてメインＰＣＢ１０に信号を伝送する。
【００４９】
傾斜部２２３は、接触部２２２が加圧される時、接触部２２２が接触部２２２の加圧方向の逆方向に付勢されるように、ラバー本体部２２１と接触部２２２とを連結し、ラバー本体部２２１と接触部２２２とを連結するに当って、ドーム状に設けられる。図４を参照すると、傾斜部２２３は、トリガースイッチ２１０が結合される方向のドーム状に設けられる。図５の断面構造を参照すると、トリガーラバー２２０は、弾性材からなり、トリガースイッチ２１０の引っ張り動作によってトリガーラバー２２０の接触部２２２が加圧されれば、傾斜部２２３が弾性加圧され、引っ張り動作解除時に、傾斜部２２３の弾性復元力によって接触部２２２が原状態に復帰される。したがって、ユーザは、反復的にトリガースイッチ２１０を引っ張り動作して、ユーザ入力を行うことができる。
【００５０】
次いで、図５を参照して説明すれば、トリガーブラケット２３０は、トリガーラバー２２０を圧着支持するブラケット本体部２３１と、ブラケット本体部２３１の縁部に設けられて、端末機ケース１００の内部に結合される多数の螺合部２３２と、トリガーラバー２２０がトリガーＰＣＢ（図示せず）に接触されるように、ブラケット本体部２３１を貫設される接触通孔部２３３とを含む。
【００５１】
トリガーブラケット２３０は、ブラケット本体部２３１の内側面にトリガーラバー２２０を収容できる空間が設けられて、トリガーラバー２２０を収容し、螺合部２３２によって背面ケース１２０に螺合されることによって、トリガーラバー２２０とトリガースイッチ２１０とを圧着支持する。ブラケット本体部２３１がトリガーラバー２２０の接触部２２２と対応する部分の板面には、板面を貫通して接触通孔部２３３が形成されて、接触部２２２がトリガーＰＣＢ（図示せず）と接触されうる。
【００５２】
このようなトリガーユニット２００の構成でトリガーユニット２００の結合部位に防水効果をさらに優秀にしつつも、簡単な構造を有させることによって、製作及び組み立てが容易な効果がある。
【００５３】
一方、図７ないし図１４を参照して説明すれば、本発明の一実施形態によるモバイル端末機は、背面ケース１２０と結合し、モバイル端末機に電源を供給するバッテリーパック３００と、バッテリーパック３００と背面ケース１２０との間に介在されて、バッテリーパック３００と背面ケース１２０との結合部位を気密に保持させるクッション４００とを含む。
【００５４】
バッテリーパック３００は、内部にバッテリーセル３０１と電源供給回路とを含んでモバイル端末機に電源を供給する部分であって、背面ケース１２０に結合される。図９及び図１０を参照すると、バッテリーパック３００は、背面ケース１２０と着脱自在に結合される着脱結合部３１１が設けられる上部ケース３１０と、上部ケース３１０との間に部品収容空間を置いて結合され、下面にクッション部４００を加圧するシーリングライン３２１が形成される下部ケース３２０とを含む。
【００５５】
以下、図８ないし図１４を参照して、バッテリーパック３００の内部と外部との結合構造を説明する。
【００５６】
まず、バッテリーパック３００の内部の結合構造を説明すれば、下部ケース３２０は、上部ケース３１０が結合される部位に縁部に沿って閉ループ状のバッテリー溝部３２２が形成され、バッテリー溝部３２２は、‘コ’字状の断面形状を有する。上部ケース３１０は、前記バッテリー溝部３２２と対応してバッテリー突出部３１２が設けられ、バッテリー突出部３１２の端部には、融着山３１２ａが形成される。このような上部ケース３１０と下部ケース３２０は、バッテリー溝部３２２とバッテリー突出部３１２とが締まりばめで結合され、融着山３１２ａは、超音波融着方法によってメルティング（ｍｅｌｔｉｎｇ）されて、上部ケース３１０と下部ケース３２０とを堅固に結合させる。
【００５７】
図１４の拡大断面図を参照すると、このように、バッテリー溝部３２２の断面が‘コ’字状を有させることによって、水分や異物の浸透を３重で阻む効果がある。従来、図１５でのように、下部ケース３２０の断面が‘Ｌ’字状に設けられて、水分や異物の浸透の防止に効果的ではない。
【００５８】
次いで、バッテリーパック３００の外部の結合構造を説明すれば、バッテリーパック３００は、背面ケース１２０に収容され、着脱結合部３１１によって背面ケース１２０と結合される。この際、バッテリーパック３００が、背面ケース１２０に収容される空間の間にクッション４００が介在される。本実施形態で、クッション４００は、優れる圧縮能を有するポリオレフィンフォームからなる。クッション４００と接触される下部ケース３２０には、下部ケース３２０の縁部に沿って閉ループ状のシーリングライン３２１が形成されるが、シーリングライン３２１は、バッテリーパック３００が背面ケース１２０に収容される時、クッション４００を加圧して、バッテリーパック３００と背面ケース１２０との結合部位を気密に保持させて、外部の異物や水分の浸透を防止する。
【００５９】
このようなバッテリーパック３００の構造で、バッテリーパック３００の内部と外部との結合構造において、水分の浸透を防止し、製作及び組み立てが容易な効果がある。
【００６０】
一方、図１６ないし図１８を参照して説明すれば、本実施形態のモバイル端末機は、多数のキーボタン５１０と結合され、前面ケース１１０のキーパッド収容部１１１に収容される柔軟材のキーパッドシリコン５００と、キーパッドシリコン５００を挟んで、前面ケース１１０に結合され、キーパッドシリコン５００を圧着し、支持するキーパッドブラケット６００とを含む。
【００６１】
キーパッドシリコン５００は、ユーザが押圧動作して信号を入力する多数のキーボタン５１０と結合され、多数のキーボタン５１０が前面ケース１１０の貫通して外部に露出されるように、キーパッド収容部１１１に結合される。図１６ないし図１８を参照して、キーパッドシリコン５００の結合構造を説明すれば、前面ケース１１０のキーパッド収容部１１１は、縁部に沿って連続する閉ループ状のキーパッド溝部１１１ａが形成され、キーパッドシリコン５００は、キーパッド溝部１１１ａに対応して縁部に沿って閉ループ状にキーパッド突出部５２０が設けられて、キーパッド突出部５２０が、キーパッド溝部１１１ａに締まりばめされることで結合される。
【００６２】
キーパッドシリコン５００は、柔軟材からなり、本実施形態では、シリコンからなる。キーパッドシリコン５００は、多数のキーボタン５１０が結合される多数のボタン結合部５３０が備えられ、表面に割れた隙間がないように一体に成形されて設けられる。キーパッドシリコン５００のキーパッド突出部５２０は、端部が多角形または円形の形状に設けられるが、前記キーパッド突出部５２０の端部の一部は、前記キーパッド溝部１１１ａの幅よりも広く設けられることによって、キーパッド突出部５２０がキーパッド溝部１１１ａに結合される時、キーパッド溝部１１１ａを堅固に密着させながら結合されて、キーパッドシリコン５００と前面ケース１１０との間に水分の侵透を防止する（図１８参照）。また、キーパッドシリコン５００は、一体に成形されて、キーボタン５１０が結合される前面ケース１１０との空間を通じる水分の浸透を防止することができる。
【００６３】
キーパッドブラケット６００は、キーパッドシリコン５００を挟んで、前面ケース１１０と螺合されて、キーパッドシリコン５００を圧着し、支持する。また、キーパッドブラケット６００は、前面ケース１１０に背面ケース１２０が結合されながら、メインＰＣＢ１０によって圧着されて、さらに堅固にキーパッドシリコン５００を支持することができる。
【００６４】
このような構造を有するキーパッドシリコン５００とキーパッドブラケット６００は、構造が簡単であって、組み立てが容易でありながらも、防水能に優れる効果がある。
【００６５】
図１９及び図２０を参照して説明すれば、本実施形態のモバイル端末機は、前面ケース１１０と背面ケース１２０との間に介在される軟性材のシーリングラバー７００を含む。
【００６６】
モバイルケースの結合構造を説明すれば、前面ケース１１０には、シーリングラバー７００が結合されるように、前面ケース１１０の縁部に沿って連続する閉ループ状のケース溝部１３０が設けられ、背面ケース１２０には、縁部に沿って連続する閉ループ状のケース突出部１４０が設けられて、シーリングラバー７００を加圧しながらケース溝部１３０に結合される。
【００６７】
シーリングラバー７００は、ケース溝部１３０に結合され、ケース溝部１３０と結合される方向の端部に、前記ケース溝部１３０と対応して閉ループ状の突出山７１０が形成される。シーリングラバー７００が結合されたケース溝部１３０に背面ケース１２０が結合されながら、ケース突出部１４０がシーリングラバー７００を加圧すれば、図２０でのように、突出山７１０が圧縮されながらケース溝部１３０の幅方向に膨張して、ケース溝部１３０を堅固に密閉させる。
【００６８】
このようなシーリングラバー７００の構造によって、簡単かつ容易に前面ケース１１０と背面ケース１２０とを結合させながらも、水分の浸透を防止することができる。
【００６９】
一方、図２１を参照して説明すれば、本実施形態のモバイル端末機は、前面ケース１１０の画像表示部１１２をカバーし、タッチ入力が可能なタッチウィンドウ８００と、画像表示部１１２の縁部に沿って付着され、タッチウィンドウ８００を前面ケース１１０に結合させる両面テープ８５０とを含む。
【００７０】
タッチウィンドウ８００は、タッチパネルが含まれてタッチ入力が可能になるように設けられ、静電容量式や抵抗膜方式などのタッチパネルが使われる。タッチウィンドウ８００は、ユーザが画像表示部１１２を通じてタッチ入力が可能になるように画像表示部１１２をカバーし、画像表示部１１２の縁部に付着される両面テープ８５０によって前面ケース１１０に付着される。両面テープ８５０は、接着性及び防水性に優れる材質のテープが使われる。
【００７１】
前面ケース１１０には、画像表示部１１２の縁部の一部にタッチウィンドウ８００とメインＰＣＢ１０とを連結する軟性回路基板２０（ＦＰＣＢ）が通過する通孔１１３が形成され、通孔１１３には、シーリング部材１１３ａが設けられる。タッチウィンドウ８００に含まれるタッチパネルは、タッチ信号を入力されてメインＰＣＢ１０に伝達する軟性回路基板２０が設けられ、軟性回路基板２０は、前面ケース１１０に設けられる通孔１１３を通じてメインＰＣＢ１０と電気的に連結される。図２２を参照すると、軟性回路基板２０が通過する通孔１１３には、防水シリコンをシーリングして、通孔１１３を通じる異物や水分の浸透を防止する。本実施形態では、防水シリコンを使ったが、他の防水部材が使われることもある。
【００７２】
このようなタッチウィンドウ８００の結合構造によって組み立て及び製作が容易でありながらも、優れる防水能が提供される。
【００７３】
一方、図２と図２３及び図２４とを参照して説明すれば、本実施形態のモバイル端末機は、軟性材からなり、背面ケース１２０のネジ挿入孔１２３に挿入されて、ネジ挿入孔１２３を密閉させるスクリューキャップ９００を含む。
【００７４】
背面ケース１２０は、前面ケース１１０と螺合される多数のネジ挿入孔１２３が設けられ、前面ケース１１０の内側面では、ネジ挿入孔１２３に対応する位置に多数のネジ締結孔１１４が設けられて、背面ケース１２０と前面ケース１１０とが結合される時、ネジ挿入孔１２３にネジを挿入して、ネジ締結孔１１４と螺合される。
【００７５】
スクリューキャップ９００は、ネジ挿入孔１２３よりも小径の断面を有する円柱状に設けられて、ネジ挿入孔１２３に挿入されるキャップ本体部９１０と、キャップ本体部９１０の挿入方向の反対側の端部に設けられて、ネジ挿入孔１２３に締まりばめされるキャップヘッダ部９２０と、キャップ本体部９１０の円周方向に突出してＯリング（Ｏ−ｒｉｎｇ）状に設けられ、ネジ挿入孔１２３に締まりばめされる少なくとも１つのキャップＯリング部９３０とを含む。
【００７６】
スクリューキャップ９００は、ネジ挿入孔１２３のネジが結合された隙間に異物や水分がモバイル端末機の内部への侵透を防止するために、ネジ挿入孔１２３に結合される。スクリューキャップ９００のキャップＯリング部９３０がネジ挿入孔１２３の直径よりも大きく設けられても、キャップＯリング部９３０の隣接部位がネジ挿入孔１２３の直径よりも小さいために、スクリューキャップ９００がネジ挿入孔１２３に結合される時、気孔の役割を果たして、スクリューキャップ９００が容易にネジ挿入孔１２３に結合されうる。また、スクリューキャップ９００は、軟性材からなるので、ネジ挿入孔１２３よりも大径を有するキャップＯリング部９３０とキャップヘッダ部９２０も、ネジ挿入孔１２３に容易に締まりばめされうる。
【００７７】
このような構造のスクリューキャップ９００によってネジ挿入孔１２３を容易に密閉させることができて、異物や水分の浸透を防止することができる。
【００７８】
前述したように、本発明の一実施形態によるモバイル端末機は、モバイル端末機の各結合構造において、製作及び組み立てが簡単かつ容易であり、異物や水分の浸透を効果的に防止できる構成からなる。
【００７９】
本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【００８０】
本発明は、携帯電話のような移動通信端末機、ＰＤＡなどのモバイル端末機に利用されうる。
【図１】
2013537014.tif 000003
【図２】
2013537014.tif 000004
【図３】
2013537014.tif 000005
【図４】
2013537014.tif 000006
【図５】
2013537014.tif 000007
【図６】
2013537014.tif 000008
【図７】
2013537014.tif 000009
【図８】
2013537014.tif 000010
【図９】
2013537014.tif 000011
【図１０】
2013537014.tif 000012
【図１１】
2013537014.tif 000013
【図１２】
2013537014.tif 000014
【図１３】
2013537014.tif 000015
【図１４】
2013537014.tif 000016
【図１５】
2013537014.tif 000017
【図１６】
2013537014.tif 000018
【図１７】
2013537014.tif 000019
【図１８】
2013537014.tif 000020
【図１９】
2013537014.tif 000021
【図２０】
2013537014.tif 000022
【図２１】
2013537014.tif 000023
【図２２】
2013537014.tif 000024
【図２３】
2013537014.tif 000025
【図２４】
2013537014.tif 000026
【国際調査報告】
2013537014.tif 000027
2013537014.tif 000028
2013537014.tif 000029
2013537014.tif 000030